(57)【要約】【課題】所定の標準ガイドラインに準拠したネットワーク内のリモート視聴において、該ネットワーク外で視聴されたリムーバブルメディアのリジューム再生を可能にする。【解決手段】ハードディスク装置に蓄積されたコンテンツの再生中断位置を管理し、再生中断位置から再生される仮想コンテンツをコンテンツディレクトリのアイテムとして登録するデジタルメディアサーバにおいて、装着されたＤＶＤ−ＲＡＭ等のリムーバブルメディアにリジューム情報を記録されている場合には、そのリジューム情報が示す再生中断位置からコンテンツが再生される仮想コンテンツをコンテンツディレクトリのアイテムとして登録する。【選択図】図１
2007323750.tif 000002
【特許請求の範囲】
【請求項１】
第１記憶メディアに蓄積された第１コンテンツをコンテンツディレクトリに登録し、該第１コンテンツの最初から配信を要求するための第１コンテンツアイテムをネットワーク上の再生装置に提示する情報処理装置であって、
着脱可能な第２記憶メディアが装着された後、該第２記憶メディアに蓄積された第２コンテンツの最初から配信を要求するための第２コンテンツアイテムを前記コンテンツディレクトリに登録する制御手段を備え、
前記制御手段は、前記第２コンテンツの再生中断位置を示す情報を、前記第２記憶メディアから前記第２記憶メディアの記憶フォーマットに基づいて取得し、前記第２コンテンツの該再生中断位置からの配信を要求する第３コンテンツアイテムを前記コンテンツディレクトリに登録することを特徴とする情報処理装置。
【請求項２】
前記第１記憶メディアに蓄積されたコンテンツの配信中断により生じた再生中断位置を管理する管理手段と、
前記管理手段で管理する再生中断位置からの配信を要求するコンテンツアイテムを登録する手段とを更に備えたことを特徴とする請求項１に記載の情報処理装置。
【請求項３】
前記第１記憶メディアに蓄積されたコンテンツの配信中断により生じた再生中断位置を管理する管理手段と、
前記第２記憶メディアに蓄積されたコンテンツを前記第２記憶メディアに蓄積する蓄積手段とを更に備え、
前記蓄積手段は、蓄積するコンテンツの再生中断位置に対応する再生中断位置を、前記第２記憶メディアの記憶フォーマットに従って前記第２記憶メディアに記憶することを特徴とする請求項１に記載の情報処理装置。
【請求項４】
前記第１記憶メディアに蓄積されたコンテンツの配信中断により生じた再生中断位置を管理する管理手段と、
前記第２記憶メディアに蓄積されたコンテンツを前記第２記憶メディアに蓄積する蓄積手段とを更に備え、
前記蓄積手段は、蓄積するコンテンツの再生中断位置に対応するチャプタ情報を、前記第２記憶メディアの記憶フォーマットに従って前記第２記憶メディアに記憶することを特徴とする請求項１に記載の情報処理装置。
【請求項５】
前記第１記憶メディアに蓄積されたコンテンツの配信中断により生じた再生中断位置を管理する管理手段と、
前記第２記憶メディアに蓄積されたコンテンツを前記第２記憶メディアに蓄積する蓄積手段とを更に備え、
前記蓄積手段は、蓄積するコンテンツの再生中断位置から再生を開始するプレイリスト情報を、前記第２記憶メディアの記憶フォーマットに従って前記第２記憶メディアに記憶することを特徴とする請求項１に記載の情報処理装置。
【請求項６】
前記プレイリスト情報は、蓄積するコンテンツの再生中断位置までの一部をダイジェストで再生する手順を含むことを特徴とする請求項５に記載の情報処理装置。
【請求項７】
前記記憶フォーマットはＤＶＤ−ＶＲ規格に準拠したフォーマットであることを特徴とする請求項１〜６のいずれか１項に記載の情報処理装置。
【請求項８】
第１記憶メディアに蓄積された第１コンテンツをコンテンツディレクトリに登録し、該第１コンテンツの最初から配信を要求するための第１コンテンツアイテムをネットワーク上の再生装置に提示する情報処理方法であって、
着脱可能な第２記憶メディアが装着された後、該第２記憶メディアに蓄積された第２コンテンツの最初から配信を要求するための第２コンテンツアイテムを前記コンテンツディレクトリに登録する制御工程を有し、
前記制御工程において、前記第２コンテンツの再生中断位置を示す情報を、前記第２記憶メディアから前記第２記憶メディアの記憶フォーマットに基づいて取得し、前記第２コンテンツの該再生中断位置からの配信を要求する第３コンテンツアイテムを前記コンテンツディレクトリに登録することを特徴とする情報処理方法。
【請求項９】
前記第１記憶メディアに蓄積されたコンテンツの配信中断により生じた再生中断位置を管理する管理工程と、
前記管理工程で管理する再生中断位置からの配信を要求するコンテンツアイテムを登録する工程とを更に有することを特徴とする請求項８に記載の情報処理方法。
【請求項１０】
前記第１記憶メディアに蓄積されたコンテンツの配信中断により生じた再生中断位置を管理する管理工程と、
前記第２記憶メディアに蓄積されたコンテンツを前記第２記憶メディアに蓄積する蓄積工程とを更に有し、
前記蓄積工程において、蓄積するコンテンツの再生中断位置に対応する再生中断位置を、前記第２記憶メディアの記憶フォーマットに従って前記第２記憶メディアに記憶することを特徴とする請求項８に記載の情報処理方法。
【請求項１１】
前記第１記憶メディアに蓄積されたコンテンツの配信中断により生じた再生中断位置を管理する管理工程と、
前記第２記憶メディアに蓄積されたコンテンツを前記第２記憶メディアに蓄積する蓄積工程とを更に有し、
前記蓄積工程において、蓄積するコンテンツの再生中断位置に対応するチャプタ情報を、前記第２記憶メディアの記憶フォーマットに従って前記第２記憶メディアに記憶することを特徴とする請求項８に記載の情報処理方法。
【請求項１２】
前記第１記憶メディアに蓄積されたコンテンツの配信中断により生じた再生中断位置を管理する管理工程と、
前記第２記憶メディアに蓄積されたコンテンツを前記第２記憶メディアに蓄積する蓄積工程とを更に有し、
前記蓄積工程において、蓄積するコンテンツの再生中断位置から再生を開始するプレイリスト情報を、前記第２記憶メディアの記憶フォーマットに従って前記第２記憶メディアに記憶することを特徴とする請求項８に記載の情報処理方法。
【請求項１３】
前記プレイリスト情報は、蓄積するコンテンツの再生中断位置までの一部をダイジェストで再生する手順を含むことを特徴とする請求項１２に記載の情報処理方法。
【請求項１４】
前記記憶フォーマットはＤＶＲ−ＶＲ規格に準拠したフォーマットであることを特徴とする請求項８〜１３のいずれか１項に記載の情報処理方法。
【請求項１５】
請求項８〜１４のいずれか１項に記載の情報処理方法をコンピュータに実行させることを特徴とするコンピュータプログラム。
【請求項１６】
請求項１５に記載のコンピュータプログラムを記憶したことを特徴とするコンピュータ読み取り可能な記憶媒体。
【発明の詳細な説明】
【技術分野】
【０００１】
本発明は、ネットワーク上の再生装置に配信するコンテンツ情報を管理する情報処理装置、情報処理方法、コンピュータプログラム及びコンピュータ読み取り可能な記憶媒体に関する。
【背景技術】
【０００２】
近年、ＤＶＤ−ＲＡＭ等の書き換え可能なリムーバブル光メディア（以下、単に光メディアと称する）に映像コンテンツを記録するＤＶＤレコーダが広く普及している。ＤＶＤ−ＲＡＭへの映像コンテンツの記録方式としてＤＶＤ−ＶＲ（ＤＶＤ−Ｖｉｄｅｏ  Ｒｅｃｏｒｄｉｎｇ）規格がある。
【０００３】
ＤＶＤ−ＶＲ規格によれば、映像コンテンツの再生の中断位置を光メディア上に記憶することができる。これにより、ＤＶＤレコーダから光メディアをいったん取り出し、ＤＶＤプレイヤ等の再生装置に装着して再生した場合に、光メディア上に記憶した中断位置から再生するリジューム再生が可能となる。
【０００４】
特許文献１には、かかる機能を利用して、光メディアの取り出し時に再生中断位置を光メディア上に記録するか否かを利用者に確認し、確認結果に応じて光メディア上の再生中断位置を更新する技術が開示されている。
【０００５】
一方、パーソナルコンピュータ等の情報処理装置とテレビ等の再生装置をネットワークを介して接続し、情報処理装置に蓄積されたコンテンツを再生装置で視聴する（以下、リモート視聴と称する）という利用形態が提案されている。例えば、ＤＬＮＡ（Ｄｉｇｉｔａｌ Ｌｉｖｉｎｇ  Ｎｅｔｗｏｒｋ  Ａｌｌｉａｎｃｅ）ガイドラインに基づいて、パーソナルコンピュータに記録されたコンテンツを、ネットワークを介したテレビ上で視聴することが可能となる。
【０００６】
【特許文献１】特開２００５−４８４９号公報
【特許文献２】特開平１１−２７３２２７号公報
【発明の開示】
【発明が解決しようとする課題】
【０００７】
しかしながら、ＤＬＮＡのような標準のガイドラインでは、メーカ間の互換性を実現するため、各装置の有する複数の機能を限定することで仕様が策定される。
【０００８】
例えば、自動車の後部座席に設置されたＤＶＤプレイヤで視聴していた光メディアを、家庭内でＤＬＮＡガイドラインに準拠したネットワーク内でリモート視聴を行う場合に、リジューム再生ができないという課題がある。
【０００９】
本発明は上記課題を解決するために為されたもので、所定の標準ガイドラインに準拠したネットワーク内のリモート視聴において、該ネットワーク外で視聴されたリムーバブルメディアのリジューム再生が可能な情報処理装置を提案することを目的とする。
【課題を解決するための手段】
【００１０】
本発明の情報処理装置は、第１記憶メディアに蓄積された第１コンテンツをコンテンツディレクトリに登録し、該第１コンテンツの最初から配信を要求するための第１コンテンツアイテムをネットワーク上の再生装置に提示する情報処理装置であって、着脱可能な第２記憶メディアが装着された後、該第２記憶メディアに蓄積された第２コンテンツの最初から配信を要求するための第２コンテンツアイテムを前記コンテンツディレクトリに登録する制御手段を備え、前記制御手段は、前記第２コンテンツの再生中断位置を示す情報を、前記第２記憶メディアから前記第２記憶メディアの記憶フォーマットに基づいて取得し、前記第２コンテンツの該再生中断位置からの配信を要求する第３コンテンツアイテムを前記コンテンツディレクトリに登録することを特徴とする。
また、本発明の情報処理方法は、第１記憶メディアに蓄積された第１コンテンツをコンテンツディレクトリに登録し、該第１コンテンツの最初から配信を要求するための第１コンテンツアイテムをネットワーク上の再生装置に提示する情報処理方法であって、着脱可能な第２記憶メディアが装着された後、該第２記憶メディアに蓄積された第２コンテンツの最初から配信を要求するための第２コンテンツアイテムを前記コンテンツディレクトリに登録する制御工程を有し、前記制御工程において、前記第２コンテンツの再生中断位置を示す情報を、前記第２記憶メディアから前記第２記憶メディアの記憶フォーマットに基づいて取得し、前記第２コンテンツの該再生中断位置からの配信を要求する第３コンテンツアイテムを前記コンテンツディレクトリに登録することを特徴とする。
また、本発明のコンピュータプログラムは、上記に記載の情報処理方法を実行することを特徴とする。
また、本発明のコンピュータ読み取り可能な記憶媒体は、上記に記載のコンピュータプログラムを記憶したことを特徴とする。
【発明の効果】
【００１１】
ＤＬＮＡ等の所定の標準ガイドラインに準拠したネットワーク内のリモート視聴において、該ネットワーク外で視聴されたリムーバブルメディアのリジューム再生が容易となる。
【発明を実施するための最良の形態】
【００１２】
（第１の実施の形態）
図１に、本実施形態における情報処理装置１００の構成を示す。ＣＰＵ１０１は、装置全体の制御を司り、ＦＬＡＳＨ ＲＯＭ１０２に格納された制御プログラムをＳＤＲＡＭ１０３上にロードして実行する。
【００１３】
ＰＣＩブリッジ１０５は、ホストバス１０４とＰＣＩバス１０６とを接続するためのデバイスである。ネットワークコントローラ１０７は、ＣＰＵ１０１の制御によりネットワーク１１０上の他装置とデータ通信を行う。ここで、ネットワーク１１０は有線または無線いずれかのネットワークである。
【００１４】
ディスクコントローラ１０８は、ＣＰＵ１０１の制御によりハードディスク装置１０９のリード・ライトを行う。ＤＶＤドライブ１１１は、光メディアの一例たるＤＶＤ−ＲＡＭ１１２に対して、ＤＶＤ−ＶＲ規格によりデータの読み書きを行う。
【００１５】
再生装置１１４は、ネットワーク１１０を介して、ハードディスク装置１０９またはＤＶＤ−ＲＡＭ１１２に蓄積されている動画ファイルや静止画ファイル等のコンテンツを選択し、再生する。
【００１６】
再生装置１１４の具体的な装置としては、ネットワーク１１０を介した通信機能を有するテレビ、パーソナルコンピュータ、若しくは携帯情報端末や携帯電話等が接続可能である。
【００１７】
ＤＶＤ−ＲＡＭ再生装置１１３は、ディスプレイを有し、スタンドアロンでＤＶＤ−ＲＡＭ１１２を再生して視聴する機能を有する。ネットワーク１１０に接続されていないため、ＤＶＤ−ＲＡＭ１１２により、ネットワーク１１０内の装置と映像コンテンツの共有が為される。
【００１８】
情報処理装置１００と再生装置１１４は、異なるメーカの家電機器やパーソナルコンピュータを相互接続するための標準化活動を推進している業界団体ＤＬＮＡ（Ｄｉｇｉｔａｌ  Ｌｉｖｉｎｇ Ｎｅｔｗｏｒｋ  Ａｌｌｉａｎｃｅ）により規定されたガイドラインに従う装置である。
【００１９】
ＤＬＮＡガイドラインにおいて、相互接続される各装置は、その役割に応じていずれかのデバイスクラスとして振る舞う。本実施形態では、情報処理装置１００はデジタルメディアサーバ（以下、ＤＭＳと称する）として振る舞う。
【００２０】
情報処理装置１００は、ネットワーク１１０上の他装置からの要求に応じてハードディスク装置１０９またはＤＶＤ−ＲＡＭドライブ１１１にセットされているＤＶＤ−ＲＡＭ１１２に蓄積されているコンテンツを配信する機能を有する。
【００２１】
また、再生装置１１４はデジタルメディアプレイヤ（以下、ＤＭＰと称する）として振る舞い、ＤＭＳたる情報処理装置１００に蓄積されているコンテンツを検索し、そこから配信されるコンテンツを再生する機能を有する。
【００２２】
図２は、本実施形態におけるネットワークを介したコンテンツ再生の手順を示した図である。
【００２３】
情報処理装置１００（ＤＭＳ）と再生装置１１４（ＤＭＰ）の間ではＤＬＮＡガイドラインに従った標準プロトコルが実行される。本実施形態では、これに独自プロトコルを加えることなくノーマル再生とリジューム再生の選択を可能としている。
【００２４】
ステップＳ２０１では、再生装置１１４がネットワーク１１０上の情報処理装置１００を発見するためのプロトコルを実行する。これはＵＰｎＰ仕様の一部であるＳＳＤＰ（Ｓｉｍｐｌｅ  Ｓｅｒｖｉｃｅ  Ｄｉｓｃｏｖｅｒｙ  Ｐｒｏｔｏｃｏｌ）により実行される。
【００２５】
ステップＳ２０２では、再生装置１１４が情報処理装置１００のハードディスク１０９に蓄積されているコンテンツから所望のコンテンツを選択するためのプロトコルを実行する。
【００２６】
これは、ＵＰｎＰ  ＡＶ仕様(ＵＰｎＰの仕様に基づくＡＶ機器用の相互接続規格)の一部であるコンテンツディレクトリ・サービス（以下、ＣＤＳと称する）により実行される。
【００２７】
ステップＳ２０３では、情報処理装置１００から再生装置１１４へコンテンツを配信するためのプロトコルを実行する。
【００２８】
本実施形態では、ＨＴＴＰ（Ｈｙｐｅｒ  Ｔｒａｎｓｆｅｒ  Ｐｒｏｔｏｃｏｌ）により実行される。
【００２９】
再生装置１１４は、配信されたコンテンツを復号しディスプレイで表示することで、コンテンツの再生を行う。
【００３０】
以下、ＤＶＤ−ＲＡＭ１１２に記録されている映像コンテンツをＤＶＤ−ＲＡＭ再生装置１１３で途中まで視聴した後、ＤＶＤ−ＲＡＭ１１２を情報処理装置１００に装着して再生装置１１４から継続して視聴するケースにて説明する。
【００３１】
まず、ＤＶＤ−ＲＡＭ再生装置１１３において、再生を中断した場合には、ＤＶＤ−ＶＲ規格に基づき再生中断位置を示す情報（以下、リジューム情報）がＤＶＤ−ＲＡＭ１１２に記録される。
【００３２】
具体的には、ＤＶＤ−ＲＡＭ１１２上の管理領域に設けられているＲＳＭ＿ＭＲＫＩ（Ｒｅｓｕｍｅ  Ｍａｒｋｅｒ  Ｉｎｆｏｒｍａｔｉｏｎ）に記録される。
【００３３】
リジューム情報は、プログラムチェーン番号、プログラム番号、セル番号、およびセル内の再生時間等から成る。
【００３４】
次に、リジューム情報を記録されたＤＶＤ−ＲＡＭ１１２を情報処理装置１００に装着した場合の動作を説明する。
【００３５】
図３は、情報処理装置１００におけるハードディスク装置１０９およびＤＶＤ−ＲＡＭ１１２に蓄積されているコンテンツの管理情報を示した図である。
【００３６】
上記の通り、ハードディスク装置１０９およびＤＶＤ−ＲＡＭ１１２に蓄積されているコンテンツはＵＰｎＰ  ＡＶのＣＤＳによりコンテンツディレクトリとして管理される。
【００３７】
ＤＶＤ−ＲＡＭ１１２は、ハードディスク装置１０９と異なり、必要に応じて情報処理装置に装着される。情報処理装置１００は、ＤＶＤ−ＲＡＭ１１２が装着されると、そのＤＶＤ−ＲＡＭ１１２の管理領域（ＲＴＲ＿ＶＭＧ）からコンテンツディレクトリの登録に必要な管理情報を取得する。
【００３８】
Ｃｏｎｔａｉｎｅｒ３０１は、複数のＣｏｎｔｅｎｔＩｔｅｍを含むオブジェクトである。ＣｏｎｔｅｎｔＩｔｅｍ３０２、３０３、３０４は、再生装置１１４（ＤＭＰ）からの検索またはブラウズの対象となるコンテンツアイテムである。また、それぞれ、ハードディスク装置１０９に蓄積されている実体コンテンツ３１０、３１１、３１２をＤＭＰから選択するためのアイテムである。
【００３９】
ＣｏｎｔｅｎｔＩｔｅｍ３１３は、再生装置１１４（ＤＭＰ）からの検索またはブラウズの対象となるコンテンツアイテムである。また、ハードディスク装置１０９に蓄積されている実体コンテンツ３１０をリジューム再生する仮想コンテンツをＤＭＰから選択するためのアイテムである。
【００４０】
ここで、リジューム再生のための再生中断位置は、ハードディスク装置１０９に記憶されている。
【００４１】
ＣｏｎｔｅｎｔＩｔｅｍ３０５は、再生装置１１４（ＤＭＰ）からの検索またはブラウズの対象となるコンテンツアイテムであり、ＤＶＤ−ＲＡＭ１１２に蓄積されている実体コンテンツ３１８をＤＭＰから選択するためのアイテムである。
【００４２】
ＣｏｎｔｅｎｔＩｔｅｍ３１３は、再生装置１１４（ＤＭＰ）からの検索またはブラウズの対象となるコンテンツアイテムであり、ＤＶＤ−ＲＡＭ１１２に蓄積されている実体コンテンツ３１８をＲＳＭ＿ＭＲＫＩに記録されているリジューム情報が示す位置から再生する仮想コンテンツをＤＭＰから選択するためのアイテムである。
【００４３】
情報処理装置１００は、ＤＶＤ−ＲＡＭ１１２が装着されると、実体コンテンツ３１８に対応するＣｏｎｔｅｎｔＩｔｅｍ３０５をコンテンツディレクトリに登録する。ここで、ＣｏｎｔｅｎｔＩｔｅｍ３０５が選択された場合は、実体コンテンツ３１８の先頭から再生される。
【００４４】
更に、装着されたＤＶＤ−ＲＡＭ１１２のＲＳＭ＿ＭＲＫＩ３１９にリジューム情報が記録されている場合には、そのリジューム情報の示す位置から実体コンテンツ３１８を再生する仮想コンテンツに対応するＣｏｎｔｅｎｔＩｔｅｍ３１３をコンテンツディレクトリに登録する。
【００４５】
各コンテンツアイテムは、複数のプロパティ３０６〜３０９を有する。ｉｄ３０６は、コンテンツディレクトリにおけるコンテンツの識別情報で、Ｐａｒｅｎｔｉｄ３０７は、親オブジェクトの識別情報である。ｔｉｔｌｅ３０８はコンテンツの名称で、例えば映画タイトルのようにユーザにわかりやすい情報がセットされる。
【００４６】
ｒｅｓ３０９は、コンテンツにアクセスするためのプロトコル情報や、コンテンツを指定するためのＵＲＬがセットされる。また、ｒｅｓ３０９には、コンテンツの内容をわかりやすく表示するためのサムネイルデータにアクセスするためのプロトコル情報とそのＵＲＬもセットされる。
【００４７】
本実施形態では、コンテンツおよびサムネイルにアクセスするためのプロトコルとしてｈｔｔｐＧｅｔメソッドを採用する。
【００４８】
ＣｏｎｔｅｎｔＩｔｅｍ３１３において、ｉｄ３１４には実体コンテンツのｉｄ３０６とは別の識別情報がセットされる。
【００４９】
ｔｉｔｌｅ３１６には、実体コンテンツのｔｉｔｌｅ３０８に対して、リジューム再生のためのコンテンツであることがわかるような情報を付加した名称がセットされる。
【００５０】
例えば、実体コンテンツのタイトル「Ｃａｎｏｎ  Ｍｏｖｉｅ」に対して「Ｃａｎｏｎ  Ｍｏｖｉｅ−Ｓｔｏｐｐｅｄ」のような情報がセットされる。
【００５１】
ｒｅｓ３１７には、ｒｅｓ３０９にセットされているＵＲＬとは別のＵＲＬが付与されセットされる。
【００５２】
再生装置１１４からはＵＲＬによりコンテンツを指定して再生要求が為されるので、これにより情報処理装置１００側で先頭からの再生（以下、ノーマル再生と称する）またはリジューム再生のいずれの要求なのかを弁別可能になる。
【００５３】
また、ｒｅｓ３１７には、ｒｅｓ３０９にセットされているサムネイルデータのＵＲＬとは別のサムネイルデータのＵＲＬがセットされる。
【００５４】
リジューム再生用のサムネイルデータをノーマル再生用のサムネイルデータとは別に持つことにより、再生装置１１４のオペレータに対してリジューム再生に係る情報をわかりやすく提示することが可能となる。
【００５５】
このように、本実施形態では、情報処理装置１００にＤＶＤ−ＲＡＭ１１２が装着されたとき、ＤＶＤ−ＲＡＭ１１２に蓄積された実体コンテンツを先頭から再生するコンテンツアイテムをコンテンツディレクトリに登録する。
【００５６】
更に、装着されたＤＶＤ−ＲＡＭ１１２のＲＳＭ＿ＭＲＫＩ３１９にリジューム情報が記録されている場合には、そのリジューム情報の示す位置から実体コンテンツを再生する仮想コンテンツに対応するコンテンツアイテムをコンテンツディレクトリに登録する。
【００５７】
これにより、ＤＬＮＡに準拠したネットワークの外で視聴されたリムーバブルメディアを、該ネットワーク内でリモート視聴する際に、中断位置からの視聴が容易になる。
【００５８】
図４は、再生装置１１４から再生対象のコンテンツを選択するための手順（図２のステップＳ２０２に相当する）を示した図である。
【００５９】
ステップＳ４０１では、再生装置１１４は情報処理装置１００に対してＣＤＳに基くＳｅａｒｃｈコマンド（検索のためのコマンド）またはＢｒｏｗｓｅコマンド（ブラウズのためのコマンド）を発行する。
【００６０】
Ｓｅａｒｃｈコマンドは指定した検索条件に合致するコンテンツのリストを要求し、Ｂｒｏｗｓｅコマンドは、あるＣｏｎｔａｉｎｅｒに含まれるコンテンツのリストを要求する。
【００６１】
ステップＳ４０２では、情報処理装置１００は、再生装置１１４からのＳｅａｒｃｈコマンドまたはＢｒｏｗｓｅコマンドに対するレスポンスとして、４０３に示すようなコンテンツリストを返却する。
【００６２】
コンテンツリストには、検索またはブラウズされたＢｒｏｗｓｅコマンドの条件に合致するＣｏｎｔｅｎｔＩｔｅｍのプロパティ（図３のｔｉｔｌｅやｒｅｓ３０８等）がセットされている。
【００６３】
図４の例では、コンテンツリスト４０３には３つのＣｏｎｔｅｎｔＩｔｅｍの情報がセットされている。
【００６４】
すなわち、ｉｄが“１００”でｔｉｔｌｅが"Ｃａｎｏｎ  Ｌｏｖｅ  Ｓｔｏｒｙ"のコンテンツ情報４０４、ｉｄが“１０１”でｔｉｔｌｅが"Ｃａｎｏｎ  Ｃｏｍｅｄｙ"のコンテンツ情報４０５、および、ｉｄが“１０２”でｔｉｔｌｅが"Ｃａｎｏｎ  Ｌｏｖｅ  Ｓｔｏｒｙ−Ｓｔｏｐｐｅｄ"のコンテンツ情報４０６、がセットされている。
【００６５】
再生装置１１４のオペレータは、これらの情報によりコンテンツの内容を把握し、実体コンテンツにアクセスする。
【００６６】
ここで、ｉｄが“１０３”のコンテンツは、ｉｄが“１００”のコンテンツを実体コンテンツとする仮想コンテンツとなっている。よって、再生装置１１４のオペレータは、ノーマル再生を行なう場合はｉｄが“１００”のＣｏｎｔｅｎｔ  Ｉｔｅｍを選択し、リジューム再生を行なう場合はｉｄが“１０３”のＣｏｎｔｅｎｔＩｔｅｍを選択すればよい。
【００６７】
このように本実施形態によれば、リジューム再生のためのＣｏｎｔｅｎｔＩｔｅｍの各情報がコンテンツリスト４０３にセットされてＤＭＰに返却される。
【００６８】
ＤＭＰから、リジューム再生のためのＣｏｎｔｅｎｔＩｔｅｍを選択して再生要求を行なうことにより、コンテンツのリジューム再生が開始される。
【００６９】
図５は、受信したコンテンツリスト４０３から得られた情報に基いて、再生装置１１４がディスプレイ上に表示するコンテンツ選択画面である。
【００７０】
選択画面５０１は、コンテンツのサムネイルデータを用いない場合のコンテンツ情報の表示例である。
【００７１】
５０２には、コンテンツのタイトルが表示される。５０３には、コンテンツの種類、すなわち、動画（ＶＩＤＥＯ）、静止画（ＩＭＡＧＥ）、音楽（ＡＵＤＩＯ）の別が表示される。
【００７２】
５０４には、コンテンツのデータサイズが表示される。コンテンツ情報５０６、５０７、５０８はそれぞれ、コンテンツリスト４０３におけるコンテンツ情報４０４、４０５、４０６に基いて表示される。
【００７３】
選択画面５０１において、５０７は５０６を実体コンテンツとする仮想コンテンツの情報である。選択画面５０１のようにコンテンツのサムネイルを用いない場合には、オペレータはタイトルによりリジューム再生のための仮想コンテンツを判別する。
【００７４】
選択画面５０９は、コンテンツのサムネイルを用いた場合のコンテンツ情報の表示例である。コンテンツのサムネイルについては、情報処理装置１００がサムネイルデータにアクセスするためのプロトコル情報とＵＲＬを図３のコンテンツディレクトリのｒｅｓ３０９から読み出し、再生装置１１４へのコンテンツリスト４０３にセットする。
【００７５】
再生装置１１４は、情報処理装置１００からコンテンツリスト４０３を取得後、コンテンツリスト４０３にセットされているプロトコル情報とＵＲＬに基いてサムネイルデータを取得し、ディスプレイに選択画面５０９を表示する。
【００７６】
選択画面５０９には、コンテンツリスト４０３にセットされているコンテンツ情報４０４、４０５、４０６それぞれに対応したサムネイル５１０、５１１、５１２が表示される。
【００７７】
選択画面５０９において、５１１は５１０を実体コンテンツとする仮想コンテンツのサムネイルであり、例えば、実体コンテンツのサムネイル画像に所定の画像（図５の例では５１３）をオーバーレイすることにより生成する。
【００７８】
再生装置１１４のオペレータは、選択画面５０１または選択画面５０９を参照しながら所望のコンテンツを選択し、当該コンテンツを再生する指示を再生装置１１４に与える。
【００７９】
再生装置１１４は、この指示に応じて、選択されたコンテンツにアクセスするためのプロトコル情報とＵＲＬをコンテンツリスト４０３から読み出し、図２のステップＳ２０３に示した情報処理装置１００からのコンテンツ配信のためのプロトコルを開始する。
【００８０】
このように本実施形態によれば、再生装置１１４が情報処理装置１００から標準技術であるコンテンツディレクトリ・サービスを用いて取得したコンテンツリストに基いて、リジューム再生のための仮想コンテンツの情報をディスプレイ上に表示する。
【００８１】
これにより、オペレータは、ＤＶＤ−ＲＡＭ１１２に蓄積されたコンテンツに対してノーマル再生のほかリジューム再生を指示することが可能となる。
【００８２】
図６は、情報処理装置１００のＦＬＡＳＨＲＯＭ１０２に格納される制御プログラムの主要なモジュールを示す。
【００８３】
ＤＭＳ制御モジュール６０１は、ＤＬＮＡガイドラインで規定されるＤＭＳとしての動作と、拡張機能であるリジューム再生に係る動作等を制御する。
【００８４】
ＵＰｎＰモジュール６０２は、ＤＭＳとしての動作に必要なＵＰｎＰプロトコルを実行するためのモジュールである。
【００８５】
ＨＴＴＰサーバモジュール６０３は、コンテンツやサムネイルデータをＤＭＰに配信するためのＨＴＴＰサーバ機能を実行するためのモジュールである。
【００８６】
ＣＤＳモジュール６０４は、ＤＭＳとしての動作に必要なＣＤＳの機能を実行するためのモジュールである。
【００８７】
６０５はコンテンツとコンテンツディレクトリを示し、所定のファイルシステムによりハードディスク装置１０９に蓄積されている。
【００８８】
６１１は、情報処理装置１００に装着されているＤＶＤ−ＲＡＭ１１２のコンテンツを示し、情報処理装置１００からは所定のファイルシステムによりアクセスされるとともに、コンテンツディレクトリにより管理される。
【００８９】
また、不図示のＤＶＤ−ＲＡＭ制御モジュールにより、ＤＶＤ−ＶＲ規格に基づくデータの読み書き、および、メディアの着脱の検知等が実行される。
【００９０】
ＤＭＳ制御モジュール６０１は、コンテンツディレクトリに登録されているコンテンツのＵＲＬから上記ファイルシステム上の記憶位置を取得可能なように構成されている。
【００９１】
６０６は、再生が途中で中断されたコンテンツ、すなわち、リジューム再生の対象となっているコンテンツを管理するリジューム再生管理情報であり、ハードディスク装置１０９に保存される。
【００９２】
リジューム再生管理情報６０６において管理対象となるコンテンツには、ハードディスク装置１０９に蓄積されたコンテンツと、ＤＶＤ−ＲＡＭ１１２に蓄積されたコンテンツが含まれる。
【００９３】
仮想コンテンツｉｄ６０７は、コンテンツディレクトリにおける仮想コンテンツの識別情報（図３のｉｄ３１４に相当）である。
【００９４】
１件の仮想コンテンツについて、仮想コンテンツｉｄ６０７と、それに対応して実体コンテンツｉｄ６０８、中断位置６０９、コンテンツ蓄積場所６１０が記憶される。
【００９５】
ここで、仮想コンテンツの識別情報ｉｄ６０７に対応するサムネイルデータにアクセスするには、まずコンテンツディレクトリ上でｉｄ６０７からＣｏｎｔｅｎｔ  Ｉｔｅｍ３１３が特定する。
【００９６】
次に、特定したＣｏｎｔｅｎｔ  Ｉｔｅｍ３１３のプロパティであるｒｅｓ３１７から仮想コンテンツのサムネイルデータのＵＲＬを取得することができる。
【００９７】
実体コンテンツｉｄ６０８は、対応する実体コンテンツのコンテンツディレクトリにおける識別情報（図３のｉｄ３０６に相当）である。
【００９８】
中断位置６０９は、リジューム再生の開始位置を示す情報であり、コンテンツファイルの先頭からのバイトオフセットまたは再生時刻等がセットされる。
【００９９】
再生の中断が発生していないコンテンツの再生、すなわち、ノーマル再生の場合にはコンテンツファイルの先頭からのデータが再生装置１１４に配信されるが、リジューム再生の場合は中断位置６０９の位置情報からのデータが再生装置１１４に配信される。
【０１００】
また、中断位置６０９にセットされる位置情報は、再生装置１１４側でコンテンツのデコードが正常に行われるように調整が施される。例えば、コンテンツのメディアフォーマットがＭＰＥＧ２の場合には、再生装置１１４側でＧＯＰの先頭からデコードが開始されるように調整される。コンテンツ蓄積場所情報６１０には、仮想コンテンツのＵＲＬがセットされる。
【０１０１】
ここで、仮想コンテンツのＵＲＬについては、コンテンツディレクトリを利用することで、仮想コンテンツの識別情報ｉｄ６０７から取得することができる。
【０１０２】
ＤＭＳ制御モジュール６０１が「当該再生要求が仮想コンテンツに対するものか否か（すなわち、リジューム再生要求であるか否か）」の判断は、「再生装置１１４から指定されたＵＲＬがリジューム再生管理情報６０６に記録されているか否か」を判断すればよい。
【０１０３】
ＤＭＳ制御モジュール６０１は、コンテンツの再生が中断されたことに応じて当該コンテンツのリジューム再生のための仮想コンテンツのＣｏｎｔｅｎｔＩｔｅｍをコンテンツディレクトリに登録する。
【０１０４】
更に、ＤＭＳ制御モジュール６０１は、リジューム再生管理情報６０６に対して当該仮想コンテンツに対する情報を記録する。
【０１０５】
また、１の実体コンテンツから複数の仮想コンテンツが派生した場合には、仮想コンテンツごとの情報をリジューム再生管理情報６０６に記録することで、１の実体コンテンツに対して複数のリジューム再生の管理が可能となる。
【０１０６】
本実施形態におけるＤＭＳ制御モジュール６０１の動作を図７および図８のフローチャートを参照して説明する。図７は、ＤＭＳ制御モジュール６０１の動作のうち、再生装置１１４からのコンテンツの検索またはブラウズ要求に対する処理、および、再生装置１１４からの再生要求に対する処理を示すフローチャートである。
【０１０７】
まずステップＳ７０１では、再生装置１１４からＣＤＳに基くＳｅａｒｃｈコマンドまたはＢｒｏｗｓｅコマンドを受信したか否かを判断し、受信した場合はステップＳ７０２に進む。
【０１０８】
ステップＳ７０２では、再生装置１１４からのＳｅａｒｃｈコマンドまたはＢｒｏｗｓｅコマンドの指定条件に合致するＣｏｎｔｅｎｔＩｔｅｍの情報をコンテンツディレクトリから取得し、コンテンツリストとして再生装置１１４に提示する。
【０１０９】
再生装置１１４のオペレータは、提示されたコンテンツリストから所望のコンテンツを選択し、再生指示を再生装置１１４に与える。
【０１１０】
再生装置１１４は、当該再生指示に応じて、オペレータが選択したコンテンツにアクセスするための情報を提示されたコンテンツリストから取得し、情報処理装置１００に対して再生要求を行う。
【０１１１】
本実施形態では、コンテンツの再生要求はＨｔｔｐ  Ｇｅｔメソッドにより行い、選択したコンテンツはＵＲＬとして情報処理装置１００に通知される。
【０１１２】
ステップＳ７０３では、再生装置１１４からの再生要求を受信したか否かをチェックし、受信した場合はステップＳ７０４に進む。
【０１１３】
ステップＳ７０４では、再生装置１１４からの再生要求がノーマル再生の要求かリジューム再生の要求かを判別する。
【０１１４】
本実施形態では、再生装置１１４（ＤＭＰ）と情報処理装置１００（ＤＭＳ）との間のプロトコルはＤＬＮＡガイドラインで規定される標準プロトコルにより実現されている。また、ＤＬＮＡガイドラインではＤＭＰからの再生要求にノーマル再生とリジューム再生の区別は無い。
【０１１５】
したがって、ノーマル再生とリジューム再生の判別は、情報処理装置１００側で行う必要がある。
【０１１６】
具体的には、既に図６の説明で述べたように、「再生装置１１４から指定されたＵＲＬがリジューム再生管理情報６０６に記録されているか否か」を判断し、肯定判断であればリジューム再生、否定判断であればノーマル再生と判断する。
【０１１７】
ステップＳ７０５でノーマル再生と判断された場合、ステップＳ７０５にてノーマル再生のための配信を開始する。すなわち、再生装置１１４から指定されたＵＲＬからハードディスク装置１０９に蓄積されている再生対象のコンテンツファイルを特定し、当該ファイルの先頭データからのデータの配信を開始する。
【０１１８】
ステップＳ７０５でリジューム再生と判断された場合、ステップＳ７１１にてリジューム再生のための配信を開始する。
【０１１９】
具体的には、まず、リジューム再生管理情報６０６において、再生装置１１４から指定されたＵＲＬに対応して記憶されている実体コンテンツｉｄ６０８と中断位置６０９を取得する。
【０１２０】
次に、コンテンツディレクトリを利用することにより実体コンテンツｉｄ６０８から実体コンテンツのＵＲＬを取得する。
【０１２１】
そして、当該ＵＲＬと中断位置１０９から、ハードディスク装置１０９またはＤＶＤ−ＲＡＭ１１２に蓄積されている再生対象のコンテンツファイルとリジューム再生の開始位置を特定され、当該開始位置からのデータの配信を開始する。
【０１２２】
ステップＳ７０６では、再生装置１１４が再生を中断したか否かを判断する。再生中断の判断としては、例えば、再生装置１１４によるＴＣＰコネクションの切断を検出した場合に再生中断と判断する。あるいは、今後、ＤＬＮＡガイドラインにおいて、再生装置１１４からの明示的な中断要求を示すコマンドが規定された場合には、当該コマンドの受信をもって再生中断と判断すればよい。
【０１２３】
ステップＳ７０６にて再生装置１１４が再生を中断した場合は、ステップＳ７１２にて当該コンテンツのリジューム再生のための仮想コンテンツのＣｏｎｔｅｎｔＩｔｅｍをコンテンツディレクトリに登録する。ただし、ステップＳ７０４でリジューム再生と判断されている場合は、前回登録された仮想コンテンツのＣｏｎｔｅｎｔＩｔｅｍをコンテンツディレクトリから削除する。
【０１２４】
このとき、リジューム再生のためのサムネイルデータがハードディスク装置１０９上に生成され、そのＵＲＬがｒｅｓ３１７内にセットされる。
【０１２５】
ステップＳ７１３では、リジューム再生管理情報６０６に対して当該仮想コンテンツに対する情報を記録して、リジューム再生管理情報６０６の内容を更新する。
【０１２６】
ただし、ステップＳ７０４でリジューム再生と判断されている場合は、リジューム再生管理情報６０６から前回登録された情報を削除する。
【０１２７】
ステップＳ７０８では再生が終了したか否かを判断し、終了した場合はステップＳ７０８に進み、終了した再生がリジューム再生であるか否かを判断する。
【０１２８】
リジューム再生の場合は、ステップＳ７０９で当該リジューム再生のための仮想コンテンツのＣｏｎｔｅｎｔＩｔｅｍをコンテンツディレクトリから削除する。
【０１２９】
ステップＳ７１０では、リジューム再生管理情報６０６から当該仮想コンテンツに対する情報を削除して、リジューム再生管理情報６０６の内容を更新する。
【０１３０】
図８は、ＤＭＳ制御モジュール６０１の動作のうち、装着されたＤＶＤ−ＲＡＭ１１２に蓄積されているコンテンツをコンテンツディレクトリに登録する処理を示すフローチャートである。
【０１３１】
まずステップＳ８０１で、ＤＶＤ−ＲＡＭ１１２が装着されると、ステップＳ８０２において、ＤＶＤ−ＲＡＭ１１２に蓄積されている実体コンテンツをコンテンツディレクトリに登録する。
【０１３２】
その際、ＤＶＤ−ＲＡＭ１１２の管理領域（ＲＴＲ＿ＶＭＧ）からコンテンツディレクトリの登録に必要な管理情報を取得する。
【０１３３】
ステップＳ８０３で、装着されたＤＶＤ−ＲＡＭ１１２にリジューム情報が記録されているか否かを、ＤＶＤ−ＲＡＭ１１２のＲＳＭ＿ＭＲＫＩにセットされているかに基づいて判断する。
【０１３４】
リジューム情報が記録されていると判断すると、ステップＳ８０４で、そのリジューム情報の示す位置から実体コンテンツを再生する仮想コンテンツをコンテンツディレクトリに登録する。
【０１３５】
以上で説明したように、本実施形態の情報処理装置は次のような構成を有する。
すなわち、装着されたＤＶＤ−ＲＡＭ等のリムーバブルメディアにリジューム情報を記録されている場合には、そのリジューム情報が示す再生中断位置からコンテンツが再生される仮想コンテンツをコンテンツディレクトリの選択アイテムとして登録する。
【０１３６】
これにより、ＤＬＮＡ等の所定の標準ガイドラインに準拠したネットワーク内のリモート視聴において、該ネットワーク外で視聴されたリムーバブルメディアのリジューム再生が容易となる。
【０１３７】
（第２の実施の形態）
次に、第２の実施形態について上記第１の実施形態の差分を説明する。  第２の実施形態では、次の構成を有する。
【０１３８】
すなわち、ハードディスク装置１０９に蓄積されたコンテンツを装着されたＤＶＤ−ＲＡＭ１１２に記録する時に、当該コンテンツが再生中断状態であると判断した場合に、当該コンテンツをＤＶＤ−ＲＡＭ１１２に記録するとともに、当該コンテンツのリジューム情報を記録する。
【０１３９】
情報処理装置１００は、デジタルメディアサーバー機能の他、ハードディスク装置１０９に蓄積されたコンテンツをＤＶＤ−ＲＡＭ１１２に複製または移動する機能を有する。
【０１４０】
操作者からのコンテンツの指定、および、指定したコンテンツの複製または移動指示は、ＨＴＴＰサーバモジュール６０３がネットワーク１１０上の不図示のコンピュータから受け付ける。
【０１４１】
ＤＭＳ制御モジュール６０１は、ＨＴＴＰサーバモジュール６０３からコンテンツの複製または移動指示に係る情報を取得して、コンテンツの複製または移動処理を実行する。
【０１４２】
第２の実施形態におけるＤＭＳ制御モジュール６０１の動作を図９のフローチャートを参照して説明する。
【０１４３】
まずステップＳ９０１で、ＨＴＴＰサーバモジュール６０３から指定されたコンテンツを示す情報（ＵＲＬ等）、および、指定されたコンテンツに対する操作指示（移動指示または複製指示）を取得する。
【０１４４】
ステップＳ９０２では、ステップＳ９０１で指定された操作指示に基づいて、指定されたコンテンツのＤＶＤ−ＲＡＭ１１２への記録を行なう。
【０１４５】
実体コンテンツのＤＶＤ−ＲＡＭ１１２への記録は、不図示のＤＶＤ−ＲＡＭ制御モジュールにより、ＤＶＤ−ＶＲ規格に基づき拡張子が、ＶＲＯのファイル（以下、ＶＲＯファイルと称する）として記録される。
【０１４６】
実体コンテンツの管理情報は、ＤＶＤ−ＶＲ規格に基づき拡張子が、ＩＦＯのファイル（以下、ＩＦＯファイルと称する）として記録される。
【０１４７】
また、移動指示の場合には、ＤＶＤ−ＲＡＭ１１２への記録と連動して、ハードディスク装置１０９側に蓄積されているコンテンツは消去される。
【０１４８】
ステップＳ９０３では、ステップＳ９０１にて指定されたコンテンツが再生中断状態であるか否かを判断する。
【０１４９】
これは、ステップＳ９０１にて指定されたコンテンツがリジューム再生管理情報６０６に記録されている場合は、当該コンテンツが再生中断状態にあると判断する。
【０１５０】
ステップＳ９０２が肯定判断の場合はステップＳ９０４に進み、ステップＳ９０１にて指定されたコンテンツの中断位置情報６０９を、ＤＶＤ−ＶＲ規格に基づくリジューム情報に変換し、ＩＦＯファイル内のＲＳＭ＿ＭＲＫＩに記録する。
【０１５１】
ステップＳ９０２で指定したコンテンツのフォーマットがＭＰＥＧ２の場合、中断位置はＧＯＰの境界位置に設定される。コンテンツをＤＶＤ−ＲＡＭ１１２に記録した際、その境界位置が含まれるセルからリジューム情報を生成する。
【０１５２】
これにより、ＤＶＤ−ＲＡＭ１１２を取り出して、ネットワーク１１０に接続されていないスタンドアロンのＤＶＤ−ＲＡＭ再生装置１１３で視聴する場合にリジューム再生が可能となる。
【０１５３】
以上説明したように、第２の実施形態では、次のような構成にした。すなわち、ハードディスク装置に蓄積されたコンテンツを装着されたＤＶＤ−ＲＡＭ等のリムーバブルメディアに記録するときに、当該コンテンツが再生中断状態であると判断した場合に、当該コンテンツとともにそのリジューム情報を記録するようにした。
【０１５４】
これにより、ＤＬＮＡ等の所定の標準ガイドラインに準拠したネットワーク内でリモート視聴していたコンテンツを、該ネットワーク外で継続視聴することが容易となる。
【０１５５】
（第３の実施の形態）
次に、第３の実施形態について上記第２の実施形態２差分を説明する。第３の実施形態では、ハードディスク装置１０９に蓄積されたコンテンツを装着されたＤＶＤ−ＲＡＭ１１２に記録するときに、当該コンテンツが再生中断状態であると判断した場合に、中断位置に対応する位置にチャプタを設定する。
【０１５６】
第３の実施形態におけるＤＭＳ制御モジュール６０１の動作を図１０のフローチャートを参照して説明する。
【０１５７】
まずステップＳ１００１で、ＨＴＴＰサーバモジュール６０３から指定されたコンテンツを示す情報（ＵＲＬ等）、および、指定されたコンテンツに対する操作指示（移動指示または複製指示）を取得する。
【０１５８】
ステップＳ１００２では、ステップＳ１００１にて指定されたコンテンツが再生中断状態であるか否かを判断する。
【０１５９】
これは、ステップＳ１００１にて指定されたコンテンツがリジューム再生管理情報６０６に記録されている場合は、当該コンテンツが再生中断状態にあると判断する。
【０１６０】
ステップＳ１００２の判断が肯定判断の場合は、ステップＳ１００３を実行する。
【０１６１】
ステップＳ１００３では、ステップＳ１００１にて指定されたコンテンツの中断位置情報６０９に対応したチャプタを設定する。
【０１６２】
具体的には、図１１に示すように中断位置１００１にチャプタが設定されるようにＶＲＯファイルの管理フォーマットを決定する。
【０１６３】
ＶＲＯファイル１１０１は、複数のＶＯＢ（１１０４、１１０５）から成り、ＶＯＢは複数のＶＯＢＵ（１１０６、１１０７）から成る。更に、ＶＯＢＵは、複数のＧＯＰ（１１０８、１１０９）から成る。
【０１６４】
ＧＯＰ１１０６とＧＯＰ１１０７の境界に中断位置１０００がある場合、ＶＯＢ１１０４とＶＯＢ１１０５を境にして、ＶＯＢ１１０４を含む複数のＶＯＢがＰＴＴ１１０２としてグルーピングされ、ＶＯＢ１１０５を含む複数のＶＯＢがＰＴＴ１１０３としてグルーピングされる。
【０１６５】
このように、ＶＲＯファイル１１０１をＰＴＴ１１０２とＰＴＴ１１０３に分けてＤＶＤ−ＲＡＭ１１２に記録することにより、ＤＶＤ−ＲＡＭ１１２を再生する装置は中断位置１０００をチャプタとして認識することができる。
【０１６６】
ステップＳ１００２では、ステップＳ１００１で指定された操作指示に基づいて、指定されたコンテンツのＤＶＤ−ＲＡＭ１１２への記録を行なう。
【０１６７】
実体コンテンツのＤＶＤ−ＲＡＭ１１２への記録は、不図示のＤＶＤ−ＲＡＭ制御モジュールにより、ＤＶＤ−ＶＲ規格に基づき拡張子がＶＲＯファイルとして記録される。
【０１６８】
実体コンテンツの管理情報は、ＤＶＤ−ＶＲ規格に基づき拡張子がＩＦＯファイルとして記録される。
【０１６９】
ここで、ステップＳ１００２で肯定判断が為された場合には、ステップＳ１００３で決定した管理フォーマットに基づいてＩＦＯファイルが生成される。これにより、中断位置に対応したチャプタが設定されたＩＦＯファイルがＤＶＤ−ＲＡＭ１１２に記録される。
【０１７０】
以上説明したように、第３の実施形態では次の様な構成とした。すなわち、ハードディスク装置に蓄積されたコンテンツを装着されたＤＶＤ−ＲＡＭ等のリムーバブルメディアに記録するときに、当該コンテンツが再生中断状態であると判断した場合に、中断位置に対応する位置にチャプタを設定するようにした。
【０１７１】
これにより、ＤＶＤ−ＲＡＭ１１２を取り出して、ネットワーク１１０に接続されていないスタンドアロンのＤＶＤ−ＲＡＭ再生装置１１３で視聴する場合に、ユーザによるリジューム再生の位置の選択が容易となる。
【０１７２】
（第４の実施の形態）
次に、第４の実施形態について上記第３の実施形態の差分を説明する。第４の実施形態では、ハードディスク装置１０９に蓄積されたコンテンツを装着されたＤＶＤ−ＲＡＭ１１２に記録するときに、当該コンテンツが再生中断状態であると判断した場合に、中断位置から再生を開始するプレイリストをＤＶＤ−ＲＡＭ１１２に記録する。
【０１７３】
これは、第３の実施形態において、ステップＳ１００２で指定されたコンテンツが再生中断状態にあると判断した場合に、ステップＳ１００４にて中断位置情報６０９に対応した再生位置から再生が開始されるプレイリストを記録すればよい。
【０１７４】
プレイリストを記録する様子を、図１２を参照して説明する。ＩＦＯファイル１２０１内に記録されるＰＧＣ１２０４は、オリジナル・プログラム・チェインと称され、実体コンテンツであるＶＲＯファイル１２０２内の全データの再生シーケンスをセル単位で指定する。
【０１７５】
ＰＧＣ１２０５およびＰＧＣ１２１１は、ユーザ定義プログラム・チェインと称されるプレイリストであり、実体コンテンツＶＲＯファイル１２０２の部分データの再生シーケンスをセル単位で指定する。
【０１７６】
プレイリストＰＧＣ１２０５は、中断位置１２０６に対応するセル１２０９からコンテンツの最後の再生単位であるセル１２１０を指定している。
【０１７７】
プレイリストＰＧＣ１２０５をＤＶＤ−ＲＡＭ１１２に記録することにより、ネットワーク１１０外の再生装置において、中断位置から再生を開始する再生手順を選択することができる。
【０１７８】
また、プレイリストＰＧＣ１２１１の再生手順は、まず、ＶＲＯファイルの先頭から中断位置１２０６までの視聴済みデータの一部（１２１７、１２１８、１２１９）であるセル１２１２、セル１２１３、および、セル１２１４がまず再生される。続いて、「セル１２０９からセル１２１０」に対応する「セル１２１５からセル１２１６」が再生される。
【０１７９】
プレイリストＰＧＣ１２１１をＤＶＤ−ＲＡＭ１１２に記録することにより、ネットワーク１１０外の再生装置において、視聴済みデータの一部をダイジェストとして再生した後、中断位置から再生を開始する再生手順を選択することができる。
【０１８０】
視聴済みデータからダイジェスト再生の対象データを選択する技術は、公知の技術（例えば、特許文献２）を利用すればよい。
【０１８１】
以上説明したように、第４の実施形態では次の様な構成とした。すなわち、ハードディスク装置に蓄積されたコンテンツを装着されたＤＶＤ−ＲＡＭ等のリムーバブルメディアに記録するときに、当該コンテンツが再生中断状態であると判断した場合に、中断位置から再生を開始するプレイリストを当該メディアに記録する。
【０１８２】
これにより、ＤＶＤ−ＲＡＭ１１２を取り出して、ネットワーク１１０に接続されていないスタンドアロンのＤＶＤ−ＲＡＭ再生装置１１３で視聴する場合に、ユーザによるリジューム再生の選択が可能となる。
【図面の簡単な説明】
【０１８３】
【図１】本発明の第１の実施の形態に係る情報処理装置の構成を示す図である。
【図２】本発明の第１の実施の形態に係るネットワークを介したコンテンツ再生の手順を説明する図である。
【図３】本発明の第１の実施の形態に係るハードディスク装置に蓄積されているコンテンツの管理情報を示した図である。
【図４】本発明の第１の実施の形態に係る再生装置から再生対象のコンテンツを選択する手順を説明する図である。
【図５】本発明の第１の実施の形態に係る再生装置のディスプレイ上に表示されるコンテンツ選択画面を示す図である。
【図６】本発明の第１の実施の形態に係る情報処理装置の主要なモジュールを示す図である。
【図７】本発明の第１の実施の形態に係る情報処理装置の動作を示すフローチャートである。
【図８】本発明の第１の実施の形態に係る情報処理装置の動作を示すフローチャートである。
【図９】本発明の第２の実施の形態に係る情報処理装置の動作を示すフローチャートである。
【図１０】本発明の第３の実施の形態に係る情報処理装置の動作を示すフローチャートである。
【図１１】本発明の第３の実施の形態に係るＶＲＯファイルの管理フォーマットを説明する図である。
【図１２】本発明の第４の実施の形態に係るプレイリストの記録フォーマットを説明する図である。
【符号の説明】
【０１８４】
１００  情報処理装置
１０１  ＣＰＵ
１０２  ＦＬＡＳＨ  ＲＯＭ
１０３  ＳＤＲＡＭ
１０４  ホストバス
１０５  ＰＣＩブリッジ
１０６  ＰＣＩバス
１０７  ネットワークコントローラ
１０８  ディスクコントローラ
１０９  ハードディスク装置
１１０  ネットワーク
１１１  ＤＶＤ−ＲＡＭドライブ
１１２  ＤＶＤ−ＲＡＭ
１１３  再生装置
１１４  再生装置
【図１】
2007323750.tif 000003
【図２】
2007323750.tif 000004
【図３】
2007323750.tif 000005
【図４】
2007323750.tif 000006
【図５】
2007323750.tif 000007
【図６】
2007323750.tif 000008
【図７】
2007323750.tif 000009
【図８】
2007323750.tif 000010
【図９】
2007323750.tif 000011
【図１０】
2007323750.tif 000012
【図１１】
2007323750.tif 000013
【図１２】
2007323750.tif 000014